(57)【要約】【課題】空調用配管資材を必要とせず、冷房、または床暖房を行いながらの暖房を効率良く行うことができ、日常的な操作やメンテナンスも簡単に行うことができる、建築物の空調構造を提供する。【解決手段】建築物１の床下空間２に調和空気発生装置の一つである電動式の石油ファンヒータ３が配置され、建築物１を構成する壁体である外壁４内に床下空間２および屋根裏空間５と連通して調和空気路６が設けられ、建築物１内の一階床面７には床下空間２と連通する複数の調和空気吹出口８が開設され、同じく二階床面９にはその下方の床下空間１７および調和空気路６と連通する調和空気吹出口１０が開設され、一階床面７には、調和空気発生装置３を室内から操作するための開口部１１が設けられている。【選択図】  図１
2006220325.tif 000002
【特許請求の範囲】
【請求項１】
建築物の床下空間に温風または冷風を供給するため前記床下空間に配置された調和空気発生装置と、前記建築物を構成する壁体内に前記床下空間および前記建築物の屋根裏空間と連通して設けられた調和空気路と、前記建築物内の床面に前記床下空間または前記調和空気路と連通して開設された調和空気吹出口と、前記調和空気発生装置を室内から操作するために前記床面に設けられた開口部とを備えたことを特徴とする建築物の空調構造。
【請求項２】
前記建築物を構成する外壁、屋根の少なくとも一方に、外気がそれぞれの面方向に沿って通過可能な通気路を設けた請求項１記載の建築物の空調構造。
【請求項３】
前記外壁に設けられた通気路と前記建築物の室内とを連通する給排気路を設けた請求項２記載の建築物の空調構造。
【請求項４】
前記床下空間の底面を形成する基礎体に断熱機能を設けた請求項１〜３のいずれかに記載の建築物の空調構造。
【請求項５】
前記屋根裏空間内の空気を室外へ排出するための排気装置を設けた請求項１〜４のいずれかに記載の建築物の空調構造。
【発明の詳細な説明】
【技術分野】
【０００１】
本発明は、一般住宅として構築される木造建築物や鉄筋コンクリート建築物などに使用される空調構造に関する。
【背景技術】
【０００２】
一般住宅の暖房手段としては、石油ストーブ、ガスストーブ、電気ストーブあるいはコタツなどの暖房器具をはじめとし、冷暖房機能を備えたエアコンあるいはセントラルヒーティングシステムなどが使用されているが、近年は、足元の暖房効果に優れた床暖房システムが注目を集めており、新築あるいは増改築の際には床暖房システムの採用が増加している。また、床暖房を含め住宅全体を冷暖房することのできる様々な方式の空調システムも開発されている。
【０００３】
図４は従来の建築物の空調システムを示す縦断面図である。この空調システムにおいては、図４に示すように、建築物７０の床下７１に冷暖房機能および空気浄化を備えた空気調和機７２が配置され、先端が建築物７０の外部へ開口した外気導入用のダクト７３と、調和空気吹出し用の分岐器具７４に連通する送気ダクト７５と、屋根裏７６に配置された空気吸引用の分岐器具７７に連通する吸気ダクト７８とが空気調和機７２に連結されている。また、室内の汚れた空気や湿気を排出するための排気装置８５およびこれに連結された排気ダクト８４が一階と二階との間に配置されている。
【０００４】
ダクト７３から導入された外気は空気調和機７２によって温度調節および浄化された後、ダクト７５を通じて分岐器具７４へ送給され、分岐器具７４に連結された複数の吹出し管７９からそれぞれの方向へ吹出される。吹出し管７９から吹出された調和空気は、床下７１、外壁８０や間仕切壁８１の内部に形成された通気路８３および屋根裏７６を通って循環するので、建築物全体を適切な温度に空調することができる。また、室内の汚れた空気や湿気などは各部屋に開口する排気ダクト８４および排気装置８５によって室外へ排出することができる。
【０００５】
空気調和機７２は冷暖房機能を兼備しているので年間を通じて建築物の空調を行うことができるが、冬季においては、空気調和機７２で加温された調和空気を前述した経路で循環させることで室内を効率良く暖房することができるだけでなく、吹出し管７９から床下７１に吹出される暖かい空気によって床暖房を行うことができる。
【０００６】
一方、本願に関連する従来技術として、基礎部と壁部と、壁部内に下方から上方に向け順に設けられた１階床と１階天井床とで形成された１階居室と、１階天井と屋根で構成された小屋裏からなる建築物と、この建築物に配設された換気装置から構成され、建築物内の所定箇所に配設した放熱器床下設置パンと換気装置とが連結された、暖房作用を有する換気システムがある（例えば、特許文献１参照。）。
【０００７】
【特許文献１】特開２００３−４２５００号公報
【発明の開示】
【発明が解決しようとする課題】
【０００８】
図４に示す空調システムの場合、外壁８０や間仕切壁８１の内部に形成された通気路８３を通る調和空気によって間接的に室内を空調するので効率が悪く、消費エネルギも大である。また、空気調和機７２にダクト７３，７５，７８などの多数の空調用配管を連結しなければならず、床下７１および屋根裏７６に分岐器具７２，７７を配置しなければならないので、構造が複雑で多くの空調用配管資材などを必要とし、工事にも多くの手間と時間を要し、一般住宅などには容易に採用できない場合がある。
【０００９】
また、空気調和機７２が床下７１に配置されているため、日常的な調整操作を行う場合はもちろん、故障やメンテナンスなどの場合にも、その都度、作業者が床下７１へ潜り込まなければならないので不便である。ダクト７３，７５，７８および分岐器具７４，７７なども外部から見えず、簡単に手の届かない場所に配置されているためトラブルが生じたときの対応が困難である。
【００１０】
さらに、空気調和機７２、ダクト７３，７５，７８および分岐器具７４，７７などを配置するためのスペースを床下７１、屋根裏７６および間仕切壁８１の内部に設けなければならないので、スペースに余裕のある建築物でなければ採用が困難である。また、特許文献１記載の換気システムも同様に、構造が複雑で多くの空調用配管資材などを必要とし、工事にも多くの手間と時間を要する。
【００１１】
本発明が解決しようとする課題は、空調用配管資材を必要とせず、冷房、または床暖房を行いながらの暖房を効率良く行うことができ、日常的な操作やメンテナンスも簡単に行うことができる、建築物の空調構造を提供することにある。
【課題を解決するための手段】
【００１２】
本発明の建築物空調構造は、建築物の床下空間に温風または冷風を供給するため前記床下空間に配置された調和空気発生装置と、前記建築物を構成する壁体内に前記床下空間および前記建築物の屋根裏空間と連通して設けられた調和空気路と、前記建築物内の床面に前記床下空間または前記調和空気路と連通して開設された調和空気吹出口と、前記調和空気発生装置を室内から操作するために前記床面に設けられた開口部とを備えたことを特徴とする。
【００１３】
このような構成とすることにより、調和空気発生装置から床下空間に供給される温風または冷風は当該床下空間内で拡散して調和空気路や屋根裏空間を通じて移動し、建築物内の床面に開設された調和空気吹出口から室内へ吹き出すので床暖房を行いながら建築物内全体を効率良く暖房したり、または冷房したりすることができる。調和空気発生装置から供給される温風または冷風は、床下空間から調和空気路および屋根裏空間を通って移動するので、ダクトや分岐器具などの空調用配管資材を必要とせず、前記床面に設けられた開口部により、室内から調和空気発生装置を操作できるため日常的な操作やメンテナンスも簡単に行うことができる。
【００１４】
なお、調和空気発生装置としては、暖房の場合は電動式石油ファンヒータ、電気式温風ファンヒータなどが好適であり、冷房の場合は電気式、ガス式のエアコンなどが好適であるが、冷暖房機能を兼備したエアコンを使用すれば年間を通じて快適な空調を行うことができる。
【００１５】
ここで、前記建築物を構成する外壁、屋根の少なくとも一方に、外気がそれぞれの面方向に沿って通過可能な通気路を設ければ、当該通気路内に存在する空気層が断熱機能を発揮するので建築物内の空調効率が向上するだけでなく、湿気の滞留がなくなり、建築物の乾燥状態を維持することができるので、建築物の経年劣化を抑制することができる。
【００１６】
この場合、前記外壁に設けられた通気路と前記建築物の室内とを連通する給排気路を設ければ、当該給排気路を通して、通気路を通過する外気と室内の空気とを入れ換えることが可能となるので、室内の空気の浄化を図ることができる。
【００１７】
一方、前記床下空間の底面を形成する基礎体に断熱機能を設ければ、調和空気発生装置から床下空間へ供給される調和空気の温度が基礎体を介して地盤へ散逸するのを防止することができるので、空調効率の向上に有効である。
【００１８】
また、前記屋根裏空間内の空気を室外へ排出するための排気装置を設ければ、屋根裏空間に滞留する空気が室外へ排出されることによって床下空間から調和空気路内への調和空気の流入および調和空気内における調和空気の上昇が促進され、調和空気が建築物内を均等に循環するようになるため、空調状態が均一化され、空調効率の向上を図ることができる。
【発明の効果】
【００１９】
本発明により、以下の効果を奏する。
【００２０】
（１）建築物の床下空間に配置された調和空気発生装置と、建築物の壁体内に床下空間および屋根裏空間と連通して設けられた調和空気路と、建築物内の床面に床下空間または調和空気路と連通して開設された調和空気吹出口と、調和空気発生装置を室内から操作するために床面に設けられた開口部とを備えたことにより、ダクトや分岐器具などの空調用配管資材を必要とせず、床暖房を行いながらの暖房、または冷房を効率良く行うことができ、日常的な操作やメンテナンスも簡単に行うことができる。
【００２１】
（２）建築物の外壁、屋根の少なくとも一方に、外気がそれぞれの面方向に沿って通過可能な通気路を設ければ、当該通気路内に存在する空気層の断熱作用で建築物内の空調効率が向上するだけでなく、湿気の滞留がなくなり建築物の乾燥状態を維持することができるので、建築物の経年劣化を抑制することができる。
【００２２】
（３）前記外壁に設けられた通気路と前記建築物の室内とを連通する給排気路を設ければ、当該給排気路を通して、通気路を通過する外気と室内の空気とを入れ換えることが可能となるので、室内の空気の浄化を図ることができる。
【００２３】
（４）前記床下空間の底面を形成する基礎体に断熱機能を設ければ、調和空気発生装置から床下空間へ供給される調和空気の温度が基礎体を介して地盤へ散逸するのを防止することができるので、空調効率の向上に有効である。
【００２４】
（５）前記屋根裏空間内の空気を室外へ排出するための排気装置を設ければ、屋根裏空間の滞留空気が室外へ排出されることにより床下空間から調和空気路内への調和空気の流入および調和空気内における調和空気の上昇が促進され、調和空気が建築物内を均等に循環するようになるため、空調状態が均一化され、空調効率の向上を図ることができる。
【発明を実施するための最良の形態】
【００２５】
以下、本発明の実施の形態を図面に基づいて説明する。図１は本発明の実施形態である建築物の空調構造を示す垂直断面図、図２（Ａ）は図１に示す建築物内部の部分平面図、図２（Ｂ）は図１に示す建築物内部の部分立面図、図２（Ｃ）は図１に示す建築物内部の部分断面図、図３は図１に示す建築物の基礎部分を示す部分断面図である。
【００２６】
本実施形態においては、図１に示すように、建築物１の床下空間２に調和空気発生装置の一つである電動式の石油ファンヒータ３が配置され、建築物１を構成する壁体である外壁４内に床下空間２および屋根裏空間５と連通して調和空気路６が設けられ、建築物１内の一階床面７には床下空間２と連通する複数の調和空気吹出口８が開設され、同じく二階床面９にはその下方の床下空間１７および調和空気路６と連通する調和空気吹出口１０が開設され、一階床面７には、石油ファンヒータ３を室内から操作するための開口部１１が設けられている。
【００２７】
また、建築物１を構成する外壁４および屋根１２には、外気がそれぞれの面方向に沿って通過可能な通気路１３，１４が全面的に設けられ、外壁４に設けられた通気路１３と建築物１の室内とを連通する複数の給排気路１５が設けられている。これらの給排気路１５は、互いに対向位置にある複数の外壁４にそれぞれ設けられ、各外壁４の一階床面７寄りの位置および天井面２０寄りの位置に設けられている。また、屋根裏空間５内の空気を室外へ排出するための排気装置としての換気扇１６が外壁の切妻部分に配置されている。
【００２８】
石油ファンヒータ３を作動させて床下空間２へ温風を供給すると、その温風は床下空間２内を拡散して調和空気路６へ流入し、その中を上昇して二階部分の床下空間１７および屋根裏空間５へ移動するとともに、一階床面７に開設された複数の調和空気吹出口８および二階床面９に開設された調和空気吹出口１０からそれぞれ建築物１内へ吹き出すので、一階床面７および二階床面９の床暖房を行いながら建築物１の室内全体を効率良く暖房することができる。
【００２９】
すなわち、床下空間２，１７を通過する温風によって一階床面７および二階床面９が温められるので床暖房機能が発揮され、調和空気吹出口８，１０から吹き出す温風によって室内が直接暖められるとともに調和空気路６を通過する温風によって外壁４が温められ、屋根裏空間５に流入する温風によって天井面２０も温められるので建築物１の室内全体を効率良く暖房することができる。また、石油ファンヒータ３から供給される温風は、床下空間２から調和空気路６、二階の床下空間１７および屋根裏空間５を通って移動するので、図４で示した空調システムで用いられるダクトや分岐器具などの空調用配管資材を必要とせず、一般住宅などにも比較的容易に採用することができる。
【００３０】
図２に示すように、石油ファンヒータ３は、一階床面７に設けられた開口部１１にその上部が室内に露出した状態で配置されているため、日常的な操作やメンテナンスも簡単に行うことができ、図２（Ａ）に示すように、開口部１１は石油ファンヒータ３の平面サイズよりも大であるため、石油ファンヒータ３全体を床下空間２から取り外すような場合も一階床面７などを壊す必要がなく、新たな調和空気発生装置への取り替え工事への対応性も良好である。
【００３１】
開口部１１の上方には、テレビ１８などを載置することのできる取付式収納家具１９を配置することによって開口部１１が覆われた状態となっているため、室内の美観を損なうこともない。また、調和空気吹出口８，１０には、図３に示すように複数の羽根板２１ａを簀子状に配列して形成されたガラリ２１を取り付けることにより、通気性を確保しつつ、床下空間２，１７へ物品などが落下するのを防止している。
【００３２】
本実施形態では、建築物１を構成する外壁４、屋根１２に通気路１３，１４を設けているため、これらの通気路１３，１４内に存在する空気層の断熱作用により建築物１内の空調効率の向上を図ることができるだけでなく、湿気の滞留が発生せず建築物１を乾燥状態に維持することができるので建築物１の経年劣化を抑制することができる。
【００３３】
また、外壁４に設けられた通気路１３と建築物１の室内とを連通する複数の給排気路１５を設けているため、これらの給排気路１５を通して、通気路１３を通過する外気と室内の空気とが入れ換えられるので、室内の空気浄化を図ることができる。
【００３４】
一方、図３に示すように、床下空間２の底面を形成する基礎体２２は、断熱材２３を二つのコンクリート層２４でサンドイッチ状に挟持することによって断熱機能をもたせているため、石油ファンヒータ３から床下空間２へ供給される温風の温度が基礎体２２を介して地盤２５などへ散逸するのを防止することができ、空調効率の向上に有効である。
【００３５】
また、建築物１の切妻部分の換気扇１６を作動させれば、屋根裏空間５に滞留する空気が室外へ排出され、これによって床下空間２から調和空気路６内への温風の流入および調和空気路６内における温風上昇が促進され、温風が建築物１内を均等に循環するようになるため、空調状態が均一化され、空調効率の向上を図ることができる。なお、気温の低い時期は、床下空間２内の比較的低温の空気が調和空気路６内へ流入して暖房効果が下がることがあるので、換気扇１６は連続的作動させず、間欠的に作動させることが望ましい。
【００３６】
本実施形態では、床下空間２に配置する調和空気発生装置として、電動式の石油ファンヒータ３を用いているため、建築物１内の床暖房を行いながら室内全体を効率良く暖房することができるが、本発明はこの実施の形態に限定するものではないので、石油ファンヒータ３の代わりに、電気式、ガス式の冷房エアコンなどを設置すれば室内を効率良く冷房することが可能となり、冷暖房機能を兼備したエアコンを設置すれば年間を通じて快適な空調を行うことが可能となる。
【００３７】
また、夏季などの気温が高まる時期は、屋根裏空間５内の気温も高まり、冷房効率が下がることがあるので、屋根裏空間５内に温度センサ（図示せず）を配置し、屋根裏空間５内の気温が一定温度を超えると、温度センサがそれを検知して、換気扇１６が自動的に起動するシステムを設けることが望ましい。
【００３８】
なお、春季あるいは秋季などのように冷暖房を行う必要のない時季あるいは梅雨どきなどにおいては、調和空気発生装置（石油ファンヒータ）３の代わりに送風機を設置して床下空間２内への送風のみを行うことも可能であり、これによって、床下空間２，１７、調和空気路６および屋根裏空間５の通気が確保され、除湿機能も発揮されるので、湿気によって促進される建築物の経年劣化を抑制することができる。
【産業上の利用可能性】
【００３９】
本発明は、一般住宅などの空調システムとして広く利用することができる。
【図面の簡単な説明】
【００４０】
【図１】本発明の実施形態である建築物の空調構造を示す垂直断面図である。
【図２】（Ａ）は図１に示す建築物内部を示す部分平面図、（Ｂ）は図１に示す建築物内部の部分立面図、（Ｃ）は図１に示す建築物内部の部分断面図である。
【図３】図１に示す建築物の基礎部分を示す部分断面図である。
【図４】従来の建築物の空調システムを示す垂直断面図である。
【符号の説明】
【００４１】
１  建築物
２，１７  床下空間
３  石油ファンヒータ
４  外壁
５  屋根裏空間
６  調和空気路
７  一階床面
８，１０  調和空気吹出口
９  二階床面
１１  開口部
１２  屋根
１３，１４  通気路
１５  給排気路
１６  換気扇
１８  テレビ
１９  取付式収納家具
２０  天井面
２１  ガラリ
２１ａ  羽根板
２２  基礎体
２３  断熱材
２４  コンクリート層
２５  地盤
【図１】
2006220325.tif 000003
【図２】
2006220325.tif 000004
【図３】
2006220325.tif 000005
【図４】
2006220325.tif 000006